(57)【特許請求の範囲】
【請求項１】
肌当接面、非肌当接面及びその間に位置する吸収体を備えた吸収性物品であって、
フェノール性化合物を重合する機能を有する材料である酸化重合酵素又は酸化重合触媒と、炭素結合を主体とする分子構造を有する多孔質消臭剤とを含んでおり、
前記フェノール性化合物を含まず、
前記酸化重合酵素又は前記酸化重合触媒が、前記吸収性物品に吸収される尿に含まれるフェノール性化合物どうしを重合する、吸収性物品。
【請求項２】
前記酸化重合酵素又は前記酸化重合触媒と前記多孔質消臭剤とを分離した状態で含んでいる、請求項１に記載の吸収性物品。
【請求項３】
前記多孔質消臭剤が、フェニル基を有する多孔性ポリマー、又は活性炭である、請求項１又は２に記載の吸収性物品。
【請求項４】
前記多孔性ポリマーが、架橋性ビニルモノマーと他のモノマー成分との共重合体からなる、請求項３に記載の吸収性物品。
【請求項５】
前記酸化重合酵素がフェノールオキシダーゼである、請求項１〜４の何れか１項に記載の吸収性物品。
【請求項６】
前記フェノールオキシダーゼがラッカーゼである、請求項５に記載の吸収性物品。
【請求項７】
前記酸化重合触媒が銅錯体である、請求項１〜４の何れか１項に記載の吸収性物品。
【請求項８】
前記銅錯体が銅／ピリジン錯体である、請求項７に記載の吸収性物品。
【発明の詳細な説明】
【技術分野】
【０００１】
本発明は、使い捨ておむつ等の吸収性物品に関する。
【背景技術】
【０００２】
従来、使い捨ておむつ等の吸収性物品においては、吸収した排泄物から生じる臭いの外部への放出を抑制するために、多孔質の消臭剤を配合することが行われている。
【０００３】
多孔質の消臭剤として、例えば、ジビニルベンゼンとスチレンとの共重合体からなる多孔性ポリマーが知られているが、効果の持続性の点で十分ではない。
また、特許文献１には、フェノール性化合物と該化合物を酸化することができる酵素とを含む消臭剤を含有する消臭剤含有製品が記載されており、特許文献２には、リグニンとフェノール性化合物を酸化する酵素とを含有することを特徴とする消臭剤組成物が記載されている。
特許文献３には、消臭剤として、架橋性ビニルポリマー及びヘテロ芳香環を有するビニルモノマーを含むモノマー成分を共重合して得られ、金属イオンを含有している消臭粒子を用いることが記載されている。
【先行技術文献】
【特許文献】
【０００４】
【特許文献１】特開２００５−６５７５０号公報
【特許文献２】特開２００４−１４８０４６号公報
【特許文献３】特開２００８−６２０２９号公報
【発明の概要】
【発明が解決しようとする課題】
【０００５】
尿中の悪臭成分としては、フェノールやクレゾール等が知られており、フェノール類の除去にはアミン類が有効と考えられている。しかし、吸収性物品は吸収体に高吸水性ポリマーを含むものが多く、アミン類は、その高吸水性ポリマーに吸着されやすく、吸収性物品に用いた場合、充分な効果は期待できない。
特許文献１には、フェノール性化合物を積極的に配合し、それを酸化することのできる酵素をさらに含む消臭剤含有製品が開示されており、酵素を多孔体に担持させて用いることが記載されている。また特許文献２には、前述した通り、リグニンとフェノール性化合物を酸化する酵素とを含有することを特徴とする消臭剤組成物が記載されている。
しかし、特許文献１及び２には、消臭剤としてフェノール性化合物を重合する機能を有する材料を用いることは記載されていない。また、特許文献３には、ヘテロ芳香環を有するビニルモノマーのヘテロ芳香環がピリジンでも良いことが記載されているが、特許文献３には、ヘテロ芳香環を有するビニルモノマーを含むモノマー成分を共重合して得られる消臭粒子により、有臭のフェノール化合物を高分子化して無臭のフェノール性化合物とすることは記載されていない。  したがって本発明は、従来技術が有する解決課題を解決し得る吸収性物品に関する。
【課題を解決するための手段】
【０００６】
本発明者は、吸収した尿に含まれる尿臭成分を少なくすることで、活性炭の使用量を低減したり、白色系消臭剤の効果の持続性を向上させたりすることができると考え、尿に含まれる尿臭成分のうち、尿臭に強い影響を与えていると考えられているフェノールやクレゾール等のフェノール性化合物の除去による排泄物臭の低減方法を検討したところ、フェノール性化合物を重合させる機能を有する材料を用いて有臭のフェノール性化合物を高分子化させることで、フェノール性化合物を臭わなくすることができるとともに、フェノール性化合物を重合させる機能を有する材料と併用した多孔質消臭剤にも吸着されにくくなり消臭力の持続性が増すことを知見した。そのため、特許文献１と異なり、吸収性物品中に積極的にフェノール性化合物を配合する必要が無い。
【０００７】
本発明は、肌当接面、非肌当接面及びその間に位置する吸収体を備えた吸収性物品であって、フェノール性化合物を重合する機能を有する材料と、少なくとも一部にフェニル基を有する多孔性ポリマーとを含む、吸収性物品を提供するものである。
【発明の効果】
【０００８】
本発明の吸収性物品によれば、排泄物に起因する悪臭、特に尿に起因する悪臭を効果的に消臭することができる。
【発明を実施するための形態】
【０００９】
以下、本発明の吸収性物品を、その好ましい一実施形態に基づき説明する。
本発明の吸収性物品は、主として尿や経血等の排泄体液を吸収保持するために用いられるものである。本発明の吸収性物品には、例えば、使い捨ておむつ、失禁パッド、生理用ナプキンが包含されるが、これらに限定されるものではなく、人体から排出される液の吸収に用いられる物品を広く包含する。
【００１０】
本発明の吸収性物品は、肌当接面、非肌当接面及びその間に位置する吸収体を備えている。
典型的には、肌当接面を形成する表面シート、非肌当接面を形成する裏面シート及び両シート間に介在配置された液保持性の吸収体を具備している。表面シート、裏面シート及び吸収体としては、当該技術分野において通常用いられている材料を特に制限なく用いることができる。例えば、表面シートとしては、親水化処理が施された各種不織布や開孔フィルム等の液透過性のシートを用いることができる。裏面シートとしては、熱可塑性樹脂のフィルムや、該フィルムと不織布とのラミネート等の液難透過性又は撥水性のシートを用いることができる。裏面シートの液難透過性には液不透過性も含まれる。裏面シートは、蒸気透過性を有していてもよい。吸収体としては、パルプ繊維等の吸液性繊維の積繊体や吸液性繊維と高吸収性ポリマーとの混合積繊体からなる吸収性コア又は高吸収性ポリマーのみからなる吸収性コアを、ティッシュペーパーや透水性の不織布からなるコアラップシートで包んだものや、特開平８−２４６３９５号公報に記載の吸収性シートを積層したり折り畳んだりしたもの等を用いることができる。
吸収性物品は、更にその具体的な用途に応じた各種部材を具備していてもよい。そのような部材は当業者に公知である。例えば、吸収性物品を使い捨ておむつや失禁パッド、生理用ナプキン等に適用する場合には、吸収性物品の左右両側部に一対の立体ガードを配置することができる。
【００１１】
本発明の吸収性物品は、任意の部位、好ましくは吸収体に、フェノール性化合物を重合する機能を有する材料を含んでいる。フェノール性化合物を重合する機能を有する材料（以下「第１消臭剤」ともいう）は、吸収性物品が吸収する液、特に尿に含まれているフェノールやクレゾール等のフェノール性化合物に作用し、そのフェノール系化合物を高分子化して臭いを無くすか又は低減するものである。第１消臭剤は、少なくとも、フェノール性化合物の代表例であるクレゾールに作用し、該クレゾールを高分子化して臭いを除去又は低減し得るものである。
【００１２】
第１消臭剤は、酸化重合反応によりフェノール性化合物を高分子化するものであることが好ましく、例えば酸化重合酵素又は酸化重合触媒等を用いることが更に好ましい。酸化重合酵素又は酸化重合触媒という表現には、酸化重合酵素又は酸化重合触媒のみを用いる場合と、酸化重合酵素と酸化重合触媒とを併用する場合とが含まれる。
酸化重合酵素としては、ラッカーゼ、チロシナーゼ等のフェノールオキシターゼを用いることが好ましく、ラッカーゼを用いることが更に好ましい。
【００１３】
酸化重合触媒としては、銅錯体を用いることが好ましく、銅錯体のなかでも、銅／ピリジン錯体等を用いることが更に好ましい。
「銅錯体」とは、分子の中心に金属銅、銅イオンが存在し、それを取り囲むように非共有電子対を持つ配位子（アミン類やポリアミン類、ハロゲンイオン、ヒドロキシイオン等）を有する化合物であり、「銅／ピリジン錯体」とは、銅錯体のうち、配位子がピリジンであるものである。銅／ピリジン錯体の具体例としては、Ｃｕ・Ｃｌ２・Ｐｙ２錯体（中心金属の銅１分子に対し塩素イオン２分子、ピリジン２分子が配位）、Ｃｕ・Ｃｌ・ＯＨ・Ｐｙ２錯体（中心金属の銅1分子に対し塩素イオン１分子、ヒドロキシイオン１分子、ピリジン２分子が配位）、Ｃｕ・Ｃｌ・ＯＨ・ＰＶＰｙ錯体（中心金属の銅１分子に対し塩素イオン１分子、ヒドロキシイオン１分子、ポリビニルピリジンが配位）等を挙げることができる。
【００１４】
本発明の吸収性物品は、任意の部位、好ましくは吸収体に、多孔質消臭剤を含んでいる。前述した第１消臭剤、特にフェノールオキシダーゼを単独で尿に作用させた場合、その酸化作用が、フェノール性化合物以外の尿中物質にも作用して、新たな臭い成分を発生する原因ともなり得る。多孔質消臭剤（以下、第２消臭剤という）は、第１消臭剤の作用により生じ得る新たな臭い成分を吸着して外部に放出されないようにするために使用される。なお、フェノール性化合物以外の尿中物質が変化して生じる臭い成分については、少量の第２消臭剤によっても高い消臭効果が得られ、そのことから、第１消臭剤の作用によって尿中物質がより吸着されやすい形になっていると推定される。
また前述した第１消臭剤は、フェノール性化合物を高分子化することで、フェノール性化合物が第２消臭剤に吸着されにくくなる。これにより、第２消臭剤は、第２消臭剤を単独で使用する場合に比して、消臭効果がより長く持続することになる。
このように、本発明の吸収性物品によれば、第１消臭剤と第２消臭剤との相乗効果により、高い消臭効果及びその消臭効果の良好な持続性が達成される。
【００１５】
第２消臭剤としては、活性炭、多孔性ポリマー、疎水性（または疎水処理）多孔質鉱物等を用いることもできるが、尿臭に対する消臭力や消臭力の持続性の観点から、フェニル基を有する多孔性ポリマーや活性炭等の、炭素結合（Ｃ−ＣもしくはＣ＝Ｃ）を主体とする分子構造を有する消臭剤を用いることが好ましく、尿臭に対する消臭力や持続性および加工性の観点から、フェニル基を有する多孔性ポリマーであることが更に好ましい。なお、フェニル基を有する多孔性ポリマーは、フェニル基が炭素6員環構造（６角形）を有し、活性炭の分子構造は、一般的に、一部に黒鉛構造（炭素６角構造が連なる）をとるといわれており、炭素の６角形構造を有する点でも共通している。
【００１６】
フェニル基を有する多孔性ポリマーとは、モノマー（単量体）にフェニル基を含み、単独重合もしくは他のモノマーと共重合させて得られたポリマーが重合過程で多孔化するか、もしくは、そのポリマーの溶融状態中にガスを吹き込むかその溶融物中でガスを発生させるなどして、多孔化されたポリマーである。
斯かる多孔質消臭剤としては、多孔性ポリスチレン、多孔性ポリ置換スチレン、多孔性スチレンコポリマー、多孔性置換スチレンコポリマー、多孔性ポリエチレンテレフタレート、多孔性ポリブチレンテレフタレート、多孔性２，６−ジフェニルーｐ−フェニレンオキサイドポリマー等を用いることができる。尚、本明細書において置換スチレンとは、スチレンのオルト位、メタ位、パラ位のいずれかが、メチル基やハロゲン等の官能基により、１以上５以下の部位で置換されたスチレンを意味する。
第２消臭剤として、フェニル基を有する多孔性ポリマーである複数種類の多孔性ポリマーを併用することも可能であり、また、フェニル基を有する多孔性ポリマーと活性炭との併用も可能である。
【００１７】
第２消臭剤としては、架橋性ビニルモノマーと他のモノマー成分とを共重合することによって得られるものが好ましい。
架橋性ビニルモノマーは、ビニル基を二つ以上有するモノマーである。架橋性ビニルモノマーとしては、例えば、ジビニルベンゼン、トリビニルベンゼン、エチレングリコールジ（メタ）アクリレート等が挙げられ、ジビニルベンゼンが好ましい。モノマー成分中の架橋性ビニルモノマーの割合が大きいほど、ＢＥＴ比表面積の大きい消臭粒子が得られる。従って、全モノマー成分中における架橋性ビニルモノマーの割合は、５質量％以上が好ましく、２０質量％以上がより好ましく、５０質量％以上が更に好ましい。該割合の上限は、１００質量％以下が好ましく、９５質量％以下がより好ましい。
【００１８】
第２消臭剤は、モノマー成分として、架橋性ビニルモノマー以外に、これらと共重合可能な他のモノマーを用いることができる。前記他のモノマーとしては、例えば、芳香族系ビニルモノマー、不飽和酸エステル、不飽和酸等が挙げられる。芳香族系ビニルモノマーとしては、スチレン、α−メチルスチレン、ビニルトルエン、エチルビニルベンゼン、ビニルベンジルクロライド等が例示され、不飽和酸エステルとしては、（メタ）アクリル酸、（メタ）アクリル酸メチル、（メタ）アクリル酸エチル、（メタ）アクリル酸プロピル、（メタ）アクリル酸ブチル、（メタ）アクリル酸２−エチルヘキシル、（メタ）アクリル酸シクロヘキシル、（メタ）アクリル酸ベンジル、（メタ）アクリル酸グリシジル等が例示され、不飽和酸としては、（メタ）アクリル酸が例示される。前記他のモノマーは、ビニル基及びヘテロ芳香環を含む、ヘテロ芳香環を有するビニルモノマーであっても良く、ヘテロ芳香環を有するビニルモノマーとしては、２−ビニルピリジン、４−ビニルピリジン、１−ビニルイミダゾール、２−ビニルピリミジン等が挙げられる。
尚、本明細書において、（メタ）アクリレートとはアクリレート又はメタクリレートを意味し、（メタ）アクリル酸とはアクリル酸又はメタクリル酸を意味する。
【００１９】
本発明における第２消臭剤のＢＥＴ比表面積は、架橋性ビニルモノマーの割合や、重合に用いる有機溶剤の選定により任意に設定することができるが、大きいほど消臭効果が高い。高い物理消臭能を有する観点から、好ましくは１０ｍ２／ｇ以上、より好ましくは５０ｍ２／ｇ以上、更に好ましくは３００ｍ２／ｇ以上である。ＢＥＴ比表面積の上限は特に限定されないが、２０００ｍ２／ｇ以下が好ましい。なおＢＥＴ比表面積は、特許文献３の実施例に示すＢＥＴ１点法により求めた値である。
第２消臭剤は、粒子であることが好ましい。第２消臭剤の粒径は、特に規定されず、これが用いられる吸収性物品に応じて適当なものを選定することができる。粒子である第２消臭剤は、粒径が０．１〜５ｍｍ程度の粒状でもよく、粒径が０．１〜１００μｍ程度の粉末でもよい。粒径が０．１〜１０μｍの粉末の消臭粒子を用いると他の材料との配合が容易である。
【００２０】
第２消臭剤は、水中油型懸濁重合法又は沈殿重合法により製造することが好ましい。水中油型懸濁重合法においては、架橋性ビニルモノマーを含むモノマー成分、有機溶剤、界面活性剤、水及び必要に応じて重合開始剤を混合し、水中油型エマルションを調製する。該エマルションを加熱して重合させると、ポリマー粒子が有機溶剤から相分離して生成される。その後、濾過を行い、水及び界面活性剤を除き、更に乾燥させて有機溶剤を除去することにより、多孔質の消臭粒子を得ることができる。沈殿重合法においては、架橋性ビニルモノマーを含むモノマー成分、有機溶剤、必要に応じて重合開始剤を混合し、これらの混合物を加熱して重合させることによってポリマー粒子が生成される。その後、乾燥させて有機溶剤を取り除き、多孔質の消臭粒子を得ることができる。
【００２１】
水中油型懸濁重合法で用いる有機溶剤としては、芳香族化合物及び脂肪族炭化水素及びアルコール類から選ばれる少なくとも１種が挙げられる。具体的には、例えば、ベンゼン、トルエン、キシレン、エチルベンゼン、ｏ−ジクロロベンゼン、ヘキサン、ヘプタン、オクタン、イソオクタン、デカン、シクロヘキサン、ｎ−ブタノール、ｔ−ブタノール、１−ヘキサノール等が挙げられ、ヘプタン、オクタン、トルエンが好ましい。
沈澱重合法で用いる有機溶剤としては、上記水中油型懸濁重合法で用いられる有機溶剤に加え、メタノール、エタノール、１−プロパノール、イソプロパノール、１−ブタノール、メチルイソブチルカルビノール等のような水溶性の高いアルコール類を、単独あるいは他の有機溶剤と混合して、モノマー成分との溶解度パラメータ差の絶対値が０〜２．０になるようにして用いることが可能である。
【００２２】
水中油型懸濁重合法で用いる界面活性剤は、架橋性ビニルモノマー及びヘテロ芳香環を有するビニルモノマーを含むモノマー成分を水と混合した際に、安定な水中油型エマルションを形成できるものであれば特に制限されない。該界面活性剤としては、例えば、ドデシル硫酸塩、ドデシルベンゼンスルホン酸塩、Ｎ−ステアリルタウリン酸塩、ポリオキシエチレンノニルフェニルエーテルのサルフェート塩等のアニオン性界面活性剤、ポリオキシエチレンノニルフェニルエーテル、ポリオキシエチレンドデシルフェニルエーテル、ソルビタンモノステアレート、ポリオキシエチレンソルビタンモノステアレート、ポリビニルアルコール等のノニオン性界面活性剤が挙げられ、Ｎ−ステアリルタウリン酸ナトリウム又はポリビニルアルコールが好ましい。用いる界面活性剤の量は、水中油型乳化状態が安定であれば特に制限はないが、水に対して濃度が０．０１〜３質量％であることが好ましく、０．１〜１質量％であることがより好ましい。
重合開始剤は、熱でラジカル分解してモノマーの付加重合を開始させるもので、例えば、油溶性のペルオキソ二硫酸塩、過酸化物、アゾビス化合物等が一般的である。
【００２３】
第１消臭剤及び第２消臭剤は、それぞれ吸収性物品の任意の部分に配することできるが、いずれも吸収体に配合することが好ましい。
また第１消臭剤及び第２消臭剤は、相互に接触した状態、例えば第１消臭剤が第２消臭剤の表面に付着、担持又は結合した状態で存在していても良いが、第２消臭剤に対する臭い成分の吸着を阻害しないようにする観点から、第１消臭剤及び第２消臭剤は、相互に分離した状態に配されていることが好ましい。
相互に分離した状態とは、第１消臭剤と第２消臭剤がいずれも吸収体の吸収性コア内に保持されているが相互に離間した状態に配されている場合、第１消臭剤及び第２消臭剤の一方が、吸収性コア内に保持されており、他方が、吸収性コアのコアラップシート、表面シート等の吸収性コア以外の部材に保持、結合、付着している場合の両者が含まれる。
好ましい配置態様としては、第１消臭剤が、吸収性コア中のパルプに担持された状態に配されており、第２消臭剤が、吸収性コア中に散布された状態に配されている態様、第１消臭剤が、吸収性コア中に散布された状態に配されており、第２消臭剤が、吸収性コアのラップシート中に担持された状態に配されている態様、第１消臭剤が、吸収性コア中に散布された状態に配されており、第２消臭剤が、トップシートと吸収性コアの間のセカンドシート中に担持された状態に配されている態様等が挙げられる。
また、第１消臭剤及び第２消臭剤の一方又は双方を、特許文献３に記載の粒子付着シートに付着させた状態で、吸収性物品の任意の部位に配しても良い。
【００２４】
吸収性物品又は吸収体中における第１消臭剤と第２消臭剤との質量比、即ち第１消臭剤：第２消臭剤は、例えば１：９９〜９９：１であり、好ましく５：９５〜９５：５であり、より好ましくは１０：９０〜９０：１０であり、更に好ましくは１０：９０〜５０：５０である。
また、吸収性物品又は吸収体に含ませる第１消臭剤の量は、吸収性物品又は吸収体の質量１０ｇ当りの質量が、０．０００６ｇ以上１ｇ以下であることが好ましく、より好ましくは０．００１ｇ以上０．５ｇ以下であり、更に好ましくは０．００６ｇ以上０．１ｇ以下である。
また、吸収性物品又は吸収体に含ませる第２消臭剤の量は、吸収性物品又は吸収体の質量１０ｇ当りの質量が、０．０１ｇ以上５ｇ以下であることが好ましく、より好ましくは０．０２ｇ以上２ｇ以下であり、更に好ましくは０．１ｇ以上１ｇ以下である。
【実施例】
【００２５】
以下、実施例により本発明を更に詳細に説明する。しかしながら、本発明の範囲はかかる実施例に制限されるものではない。以下の例中、特に断りのない限り「％」は、「質量％」を意味する。
【００２６】
〔実施例１〜１０〕
〔表１〕に示す多孔質消臭剤（第２消臭剤）及びフェノール類除去剤（第１消臭剤等）と、高吸収性ポリマー（商品名「アクアリックＣＡ」、日本触媒株式会社製）１．０ｇと、人尿１０ｇとを、５０ｍｍφの秤量ビン中に入れて混合した。表１に示す１５分、３０分、１時間又は１２時間の放置後に、その臭いについて下記評価基準に従って５人のモニターに評価してもらい、その平均を尿臭官能値として表１に示した。
【００２７】
〔比較例１〕
高吸収性ポリマー（商品名「アクアリックＣＡ」、日本触媒株式会社製）１．０ｇと、人尿１０ｇとを、５０ｍｍφの秤量ビン中に入れて混合した。実施例１〜１０と同様の評価を行い、その平均を尿臭官能値として表１に示した。
〔比較例２〜３〕
〔表１〕に示す多孔質消臭剤（第２消臭剤）と、高吸収性ポリマー（商品名「アクアリックＣＡ」、日本触媒株式会社製）１．０ｇと、人尿１０ｇとを、５０ｍｍφの秤量ビン中に入れて混合した。実施例１〜１０と同様の評価を行い、その平均を尿臭官能値として表１に示した。
〔比較例４〕
〔表１〕に示すフェノール類除去剤（第１消臭剤等）と、高吸収性ポリマー（商品名「アクアリックＣＡ」、日本触媒株式会社製）１．０ｇと、人尿１０ｇとを、５０ｍｍφの秤量ビン中に入れて混合した。実施例１〜１０と同様の評価を行い、その平均を尿臭官能値として表１に示した。
〔比較例５〜９〕
〔表１〕に示す多孔質消臭剤（第２消臭剤）及びフェノール類除去剤（第１消臭剤等）と、高吸収性ポリマー（商品名「アクアリックＣＡ」、日本触媒株式会社製）１．０ｇと、人尿１０ｇとを、５０ｍｍφの秤量ビン中に入れて混合した。実施例１〜１０と同様の評価を行い、その平均を尿臭官能値として表１に示した。
【００２８】
〔評価基準〕
４：強い尿臭
３：尿臭とわかる臭い
２：弱い尿臭
１：尿臭とわからないわずかな臭い
０：無臭
【００２９】
なお、実施例１〜１０及び比較例５〜９は、フェノール類除去剤（１％分散液）を、高吸収性ポリマーに散布した後、多孔質消臭剤を散布して、評価サンプルとした。実施例８〜１０および比較例７〜９の担持サンプルは、多孔質消臭剤及びフェノール類除去剤（１％分散液）の合計質量に対して重量比で１０倍量のエタノールを加え、ナス底フラスコ内で１時間撹拝したのち、エバボレーターでエタノールを除き、担持体とした。また、人尿は、同じ条件となるように全て同じものを用いた。表中の配合量は人尿に対する相対量である。
【００３０】
実施例および比較例に用いた表１中に記載の材料は下記の通りである。表１に示したラッカーゼの配合量はでんぷん添加品としての配合量である。
・ジビニルベンゼン／メタクリル酸：ジビニルベンゼンとメタアクリル酸とをモノマー成分として共重合して得た共重合多孔性ポリマー（モノマー比：ジビニルベンゼン９５％、メタクリル酸５％）
・ジビニルベンゼン／ビニルピリジン：ジビニルベンゼンとビニルピリジンとをモノマー成分として共重合して得た共重合多孔性ポリマー（モノマー比：ジビニルベンゼン７５％、ビニルピリジン２５％）
・ジビニルベンゼン／スチレン：商品名「ＤＩＡＩＯＮＨＰ２０ＳＳ」、三菱化学株式会社製
・活性炭：和光純薬工業株式会社製
・粉末活性炭ゼオライト：商品名「シルトンＢ」、水澤化学工業株式会社製
・シリカゲル：商品名「ＷａｋｏｇｅＬＬＰ−６０」、和光純薬工業株式会社製
・ラッカーゼ：商品名「ラッカーゼＭｌ２０」（でんぷん添加品）、天野エンザイム株式会社製
・ポリビニルアミン：商品名「ＣａｔｉｏｆａｓｔＶＦＨ」、伯東株式会社製
・ポリエチレンイミン：商品名「ポリエチレンイミン」（分子量１８００）、和光純薬工業株式会社製
・クエン酸銅：和光純薬工業株式会社製
・銅／ピリジン錯体：塩化銅（II）水溶液にピリジン水溶液を滴下混合し、生成した沈殿物をメタノールで洗浄し乾燥した青色粉末。塩化銅（II）とピリジンはそれぞれ和光純薬工業株式会社製試薬。
【００３１】
【表１】
0006726979.tif 000002
【００３２】
表１に示す結果から明らかなように、本発明の実施例（実施例１〜１０）は、第１消臭剤を配合しない比較例１〜３や第２消臭剤を配合しない比較例１及び４に比べて、尿臭官能値が下回っており、第１消臭剤と第２消臭剤との併用により、消臭効果及び消臭効果の持続性が向上したことが判る。
また、実施例３と実施例８との対比、及び実施例７と実施例９との対比から明らかなように、第１消臭剤と第２消臭剤とを分離した状態に配すると、第２消臭剤にフェノール類除去剤（第１消臭剤等）が担持されている場合に比して、消臭効果が向上することが判る。また、比較例５、６、９は、第２消臭剤に、炭素結合構造を含まない一般的な非疎水性無機多孔質を用いた点で比較例であり、表１に示すように、第２消臭剤の配合量を１０倍程度に増やした場合においても、消臭効果を得にくいことが判る。
比較例２，７，８は、第２消臭剤を多量に使用しているため、ある程度の消臭効果が得られているが、実施例８〜１０は、第１消臭剤にラッカーゼを用いることで、第１及び第２消臭剤の使用量が共に少量であっても高い消臭効果が得られた。
なお、比較例７及び８は、フェノール類除去剤としてポリアミン類を用いたものであるが、ポリアミン類は高吸収性ポリマーに吸着されることによって、ポリアミンの塩基性が失われた結果、フェノール類の吸着性が低下すると考えられる。
また、実施例１は、比較例２，７，８と第２消臭剤の使用量が同じであるが、第１消臭剤にラッカーゼを用いることによって、より優れた消臭効果が得られた。